(57)【要約】      （修正有）【課題】カバンなどの持ち物に固定することで傘の置き忘れを防ぎ、シンプルで扱い易い傘カバーを提供する。【解決手段】防水性布で設けた傘全体を包み込む円錐状の傘カバー本体１に、先端部から他端部に向かう筒状紐通部２を設け、先端部にゴム製石突カバー部６を固定し、紐３の一端をゴム製石突カバー部６に固定し、筒状紐通部２に遊挿し、他端部から抜き、長さ調整具８とフック４を付けた紐３を自分の持ち物等に通して、傘カバー本体上部に付けたフック受け５にひっかけ、紐調整して自分に引き付け安定させ、更にゴム製石突カバー部６にギザギザ模様を入れる。【選択図】図１
0003163224.tif 000002
【実用新案登録請求の範囲】
【請求項１】
防水性布等で設けた傘全体を包み込む円錐状の傘カバー本体１に、先端部から他端部に向かう筒状紐通部２を設け、先端部にゴム製石突カバー部６を固定。紐３をゴム製石突カバー部６に固定し、前記筒状紐通部２に遊挿し、他端部に抜く。長さ調整具８とフック４を付けた紐３を自分の持ち物等に通して、フック受け５にひっかけ、紐調整して自分に引き付け安定させる。更にゴム製石突カバー部６にギザギザ模様１１を入れより安定を図る。倒れず手もフリー状態になり、他人にもじゃまにならない、傘も忘れない傘カバー。素材を変えて日傘にも対応する。
【考案の詳細な説明】
【技術分野】
【０００１】  この考案は、全体を包み込む傘カバー本体１の先端に滑り止めをほどこしたゴム製石突カバー６を紐３と共に固定し、前記傘カバー本体１に設けた筒状紐通部２に紐３を遊挿して抜き、紐調整具８とフック４を付ける。紐を自分に引き付け、自分の腕や持ち物等に通してフック受け５に止めるので、傘が安定し人のじゃまにならず手もフリー、傘も忘れない、傘カバーに関するものである。
【背景技術】
【０００２】  従来、濡れない様、持ち運び用の傘カバーが一般的。
【考案の開示】
【考案が解決しようとする課題】
【０００３】  雨の日、電車等に乗って本を読んだり、つい寝込んで傘を倒したりして周りの人の服を濡らしたり、濡らされたりして気まずい思いをすることが度々ある。  又、大量の傘の忘れ物がテレビに写し出されてた番組もあり、それほど忘れ易いものの一つです。
そこで、じゃまにならず、手もフリー、濡れない、濡らさない、忘れないをテーマに、シンプルで扱い易すく、機能的、且つお洒落な傘カバーを提供することを課題とする。
傘の生地の替えることで、日傘にも対応できる。
【課題を解決するための手段】
【０００４】  防水性布等で設けた傘全体を包み込む円錐状の傘カバー本体１に、先端部から他端部に向かう筒状紐通部２を設け、先端部にゴム製石突カバー部６を固定。紐３をゴム製石突カバー部６に固定し、前記筒状紐通部２に遊挿し、他端部に抜く。長さ調整具８とフック４を付けた紐３を自分の持ち物等に通して、フック受け５にひっかけ、紐調整して自分に引き付け安定させる。更にゴム製石突カバー部６にギザギザ模様１１を入れより安定を図る。倒れず手もフリー状態になり、他人にもじゃまにならない、傘も忘れない傘カバー。素材を変えて日傘にも対応する。傘カバー収納袋７も付けて持ち運びも便利。
【考案の効果】
【０００５】  雨の日、電車等傘の忘れ物が減り、マナー向上で気持ち良く公共の乗物に乗れるのでトラブルが減る。エコにもなる。
個人的には、傘を忘れないので経済的、高級傘も安心してさせる。
【考案を実施するための最良の形態】
【０００６】１  防水性布（ポリエステル、ビニール、傘生地等）を円錐形、筒状の傘カバー本体１を縫う。傘生地を替え日傘にも対応できる。大人用、子供用サイズ対応する。
２  先端部から他端部にむけ、傘カバー本体１の内側に筒状紐通部２を設ける。図２参照。その他、先端部から他端部全体を筒状で被わなくても、数箇所に切断して筒状紐通部切断内側付け２０で紐３を被おっても良い。図１３参照。その場合、傘カバー本体１の外側に筒状紐通部切断外側付け２１を取り付けても良い。図１４参照。紐はフリー状態で固定していないので、張ったり緩めたり出来る。図２参照。
３  長さ調整具８の付いた紐３をゴム製石突カバー部６に固定して有るので先端が安定し、自分の方へ引き付けておけるので他の人のじゃまにならない。
４  紐３に引っ掛け用のフック４を付け、腕、カバン、バック、ズボンベルト等に通してフック受け５にフックを掛ける。
フックを直接カバン等に引っ掛けることも出来る。自分の持ち物等に固定するので傘を忘れにくい。図５参照。
５  筒状傘カバー本体１にフック受け５を縫い付け固定する。図４参照。フック４を引っ掛ける。
６  筒状の傘カバー本体１の先端に、ゴム製の石突収納カバー部６を取り付け固定。図６参照。
図６参照  断面図（側面）  石突受け台９で傘の石突を受け、水切り穴１０へ雨水が流れる。雨水は外へ排出されるので底に雨水が溜まらない。
図７参照  平面図（上から見た図）  傘の受け台９、水切り穴１０、穴の数、大きさは今後変更の可能性あり。
図８参照  底面図  ゴム製だが、更に滑らないようギザギザ模様にして安定させる。水切り穴１０、ギザギザ模様１１（模様デザインは変更の可能性有り、水切り穴をもうけない場合もある。）
７  図９参照  傘カバー収納袋
フック受け５に取り付けて有るが、取り外し可能。必ず取り付ける必要はない。別仕様も可能、又飾りとして他のものに取り付けて楽しむことも出来る（女性用）。袋の内側には速乾性のある布（タオル地等）を張る。裏返して洗濯可。
防水性布をかさカバー収納袋７、表面、裏面、蓋の部分に切り分ける。日傘は防水性布でなくても良い。表面に防水布を花びら型１４に縫い付け、花の中心に光るビーズ、ラインストーン、パール等１３を取り付ける。他にもレース、リボンテープ等装飾し、デザインの変更有り。男性用は花のデザイン無し。シンプルに丸型の傘カバー収納袋。子供用は動物、リボン等付ける。子供用サイズ対応。デザイン変更可能性有り。装着紐１５の先端部に装着紐止め１６を付け、他端部を傘カバー収納袋本体７の上部に固定し、傘カバー収納袋７、表面、裏面、蓋１８を縫い合わせ本体を作る。
図１０参照  裏面図  傘カバー収納袋蓋の部分に蓋止めを付け傘カバーが出ない様にする。ファスナー、マジックテープに変更可能性あり。図１２参照。
図１１参照  側面図横  花は立体的に縫製。
図１２参照  マジックテープ、変更例、ファスナーの場合横側面に取り付ける。
【図面の簡単な説明】
【０００７】
【図１】傘カバー代表図
【図２】筒状紐通部の拡大図
【図３】紐の長さ調整具の拡大図
【図４】フック受けの拡大図
【図５】傘カバーの使用例
【図６】ゴム製石突カバー部の拡大断面図
【図７】ゴム製石突カバー部の平面図（上から見た図）
【図８】ゴム製石突カバー部の底面図（滑り止めギザギザ模様例）
【図９】傘カバー収納袋本体７の表面図（女性用、男性用花無し）
【図１０】傘カバー収納袋本体裏面図
【図１１】傘カバー収納袋本体側面図、花は立体的にする。
【図１２】傘カバー収納袋本体、マジックテープ、又はファスナーへの変更時の例。同時に付けることは無い。
【図１３】筒状紐通部切断内側付け
【図１４】筒状紐通部切断外側付け
【符号の説明】
【０００８】１  傘カバー本体
２  筒状紐通部
３  紐（持手部）
４  フック
５  フック受け
６  ゴム製石突カバー部
７  傘カバー収納袋本体
８  長さ調整具
９  石突受け部
１０  水切り穴
１１  滑り止め模様例
１２  マジックテープ
１３  ビーズ等の飾り
１４  花飾り
１５  装着紐
１６  装着紐止め
１７  傘カバー収納袋蓋止め
１８  傘カバー収納袋蓋
１９  ファスナー
２０  筒状紐通部切断内側付け
２１  筒状紐通部切断外側付け
【図１】
0003163224.tif 000003
【図２】
0003163224.tif 000004
【図３】
0003163224.tif 000005
【図４】
0003163224.tif 000006
【図５】
0003163224.tif 000007
【図６】
0003163224.tif 000008
【図７】
0003163224.tif 000009
【図８】
0003163224.tif 000010
【図９】
0003163224.tif 000011
【図１０】
0003163224.tif 000012
【図１１】
0003163224.tif 000013
【図１２】
0003163224.tif 000014
【図１３】
0003163224.tif 000015
【図１４】
0003163224.tif 000016
【手続補正書】
【提出日】平成22年7月26日(2010.7.26)
【手続補正１】
【補正対象書類名】実用新案登録請求の範囲
【補正対象項目名】全文
【補正方法】変更
【補正の内容】
【実用新案登録請求の範囲】
【請求項１】
防水性布で設けた傘全体を包み込む円錐状の傘カバー本体１に、先端部から他端部に向かう筒状紐通部２を設け、先端部にゴム製石突カバー部６を固定し、紐３の一端をゴム製石突カバー部６に固定し、前記筒状紐通部２に遊挿し、他端部から抜き、長さ調整具８とフック４を付けた紐３を自分の持ち物等に通して、傘カバー本体上部に付けたフック受け５にひっかけ、紐調整して自分に引き付け安定させ、更にゴム製石突カバー部６にギザギザ模様１１を入れたことを特長とする傘カバー。
【手続補正２】
【補正対象書類名】明細書
【補正対象項目名】０００７
【補正方法】変更
【補正の内容】
【０００７】
【図１】傘カバー代表図
【図２】筒状紐通部の拡大図
【図３】紐の長さ調整具の拡大図
【図４】フック受けの拡大図
【図５】傘カバーの使用例
【図６】ゴム製石突カバー部の拡大断面図
【図７】ゴム製石突カバー部の平面図（上から見た図）
【図８】ゴム製石突カバー部の底面図（滑り止めギザギザ模様例）
【図９】傘カバー収納袋本体７の表面図（女性用、男性用花無し）
【図１０】傘カバー収納袋本体裏面図
【図１１】傘カバー収納袋本体側面図、花は立体的にする。
【図１２】傘カバー収納袋本体、マジックテープ（登録商標）、又は  ファスナーへの変更時の例。同時に付けることは無い。
【図１３】筒状紐通部切断内側付け
【図１４】筒状紐通部切断外側付け